(57)【要約】      （修正有）【課題】少ない部材で確実に化粧カバー材を取り付けることができ、バリエーションに富んだ装飾外観のものに軒先廻りを収めることができるようにする。【解決手段】軒樋１の前側壁面１２を乗り越えて軒樋前方へ回り込んだ屈曲段部２１ａを前側壁面の外側に張り出した部分１２ａに係合させて前側壁面１２を保持する前側支持片２１と、軒樋１の後側壁面１３を乗り越えて軒樋後方へ回り込んだ屈曲段部２２ａを後側壁面の外側に張り出した部分１３ａに係合させて後側壁面１３を保持する後側支持片２２を備えた樋支持具２で軒樋１を支持し、化粧カバー材３を、その下縁部３３ａを前側支持片２１の屈曲段部２１ａから下方に延び且つ縁部を軒側へ内折れさせた下端部２１ｃに係合させ、その上面部３１を前側支持片２１の上面に重ね合わせ、留めネジ６で固定して取り付ける。【選択図】図１
2007056567.tif 000002
【特許請求の範囲】
【請求項１】
軒樋の前側壁面に化粧カバー材を取り付けて軒先を装飾する構造において、
鼻隠しに沿って配される軒樋（１）が、軒樋（１）の前側壁面（１２）を乗り越えて軒樋前方へ回り込んだ屈曲段部（２１ａ）を当該前側壁面の外側に張り出した部分（１２ａ）に係合させて前側壁面（１２）を保持する前側支持片（２１）と、軒樋（１）の後側壁面（１３）を乗り越えて軒樋後方へ回り込んだ屈曲段部（２２ａ）を当該後側壁面の外側に張り出した部分（１３ａ）に係合させて後側壁面（１３）を保持する後側支持片（２２）を備えた樋支持具（２）で支持され、
化粧カバー材（３）が、その下縁部（３３ａ）を前記前側支持片（２１）の屈曲段部（２１ａ）から下方に延びた延設片（２１ｂ）の内折れした下端部（２１ｃ）に係合され、その上面部（３１）を前側支持片（２１）の上面に重ね合わせ、留めネジ（６）で固定して取り付けられていることを特徴とする軒先の装飾構造。
【発明の詳細な説明】
【技術分野】
【０００１】
本発明は、軒樋の前側壁面に化粧カバー材を一体に取り付けて軒先を装飾する構造に関する。
【背景技術】
【０００２】
家屋の軒先廻りの造作において、図４に示されるように、内吊金具１０１で軒に沿って支持された軒樋１００の前側壁面に直に化粧カバー材１０２を取り付けたり、或いは図５に示されるように、軒先に張り出した、軒樋１００を支持するブラケット１０３の前側と下側にそれぞれ化粧カバー材１０２を取り付けたりして、軒先を見上げたときに軒樋１００が見ないようにその周囲を化粧カバー材１０２で覆い、軒先を一体性のある外観デザインのものに装飾することが行われている（例えば特許文献１、２参照）。
また、図６に示されるように、軒樋１００を内吊金具１０１で支持するとともに、内吊金具１０１の軒側上面にカバー材支持片１０４を一体に取り付け、カバー材支持片１０４で化粧カバー材１０２を支持して、軒樋１００の前面を装飾する構造のものもある。
【０００３】
【特許文献１】実公平７−５２８４６号公報
【特許文献２】特開平１０−３３１５３５８号公報
【発明の開示】
【発明が解決しようとする課題】
【０００４】
図４に示した装飾構造のものは、化粧カバー材１０２を直に軒樋１００の前側壁面に取り付けるため、化粧カバー材１０２の取り付け強度はそれ程大きくはなく、そのため、軒樋１００から取れ外れ難いように、化粧カバー材１０２は軒樋１００の外形に沿った外形状のものを用いる必要があり、軒先の装飾バリエーションは狭くならざるを得ない。図５に示した構造のものは、取り付け強度上の問題はないが、幅広のブラケット１０３やその周面を覆う化粧カバー材１０２などの構成部材が多く、部材の成形コストが高くなるという問題がある。また、図示した幅広な化粧カバー材１０２を用いたのでは、軒先の外観デザインの変更に対して柔軟に且つコストをかけないで対応することはできない。
また、図４と図６に示された、軒樋１００を内吊金具１０１で支持する構造のものでは、軒樋１００の取り付けが、図７に示される如く、軒樋１００の一側の縁部を内吊金具１０１の先端部１０１ａに引っ掛けた状態で当該掛止部を支点に軒樋１００を回転させて他側の縁部を内吊金具１０１の他端部１０１ｂに係合させることにより行われる。従って、軒樋１００を取り付けた後でなければ化粧カバー材１０２やカバー材支持片１０４を取り付けることができず、部材を取り付ける作業手順が制約を受けて、施工作業を効率的に進めることができなかった。また、施工後何らかの原因で軒樋１００を取り替える必要が生じた場合に、化粧カバー材１０２やカバー材支持片１０４を取り外さなければ軒樋１００を取り替えることができなかった。
【０００５】
本発明は従来技術の有するこのような問題点に鑑み、より少ない部材で確実且つ簡易な手順で軒樋と化粧カバー材を取り付けることが可能であり、バリエーションに富んだ装飾外観のものに軒先を収めることができるようにすることを課題とする。
【課題を解決するための手段】
【０００６】
前記課題を解決するため本発明は、軒樋の前側壁面に化粧カバー材を取り付けて軒先を装飾する構造において、鼻隠しに沿って配される軒樋が、軒樋の前側壁面を乗り越えて軒樋前方へ回り込んだ屈曲段部を当該前側壁面の外側に張り出した部分に係合させて前側壁面を保持する前側支持片と、軒樋の後側壁面を乗り越えて軒樋後方へ回り込んだ屈曲段部を当該後側壁面の外側に張り出した部分に係合させて後側壁面を保持する後側支持片を備えた樋支持具で支持され、化粧カバー材が、その下縁部を前記前側支持片の屈曲段部から下方に延びた延設片の内折れした下端部に係合され、その上面部を前側支持片の上面に重ね合わせ、留めネジで固定して取り付けられていることを特徴とする軒先の装飾構造。
【０００７】
これによれば、鼻隠しに沿って樋支持具を複数固定した後、樋支持具の前後支持片間に軒樋を下方から押し込み、軒樋の前後壁面の外面に樋支持具の前後支持片の屈曲段部を係合させることにより、軒樋が樋支持具に固定される。樋支持具の下方から軒樋を押し入れて装着することができるので、化粧カバー材を支持する部位が軒樋前方に張り出していても邪魔とならず、従って、当該部位を樋支持具に一体に設けておくことができ、従来例の如くカバー材支持片を別体に形成し、これを後付けする必要はない。また、樋支持具に一体に設けたカバー材支持部位に化粧カバー材を、軒樋を取り付ける前に、取り付けておくことが可能であり、樋支持具を固定した後であれば、軒樋と化粧カバー材の取り付けを施工状況に応じて適宜に選択して行うことができる。軒樋の交換も容易に行え、軒先廻りの施工や部材のメンテナンスを簡易且つ効率的に行うことができる。
本発明によれば、化粧カバー材により軒樋が覆い隠れるので、軒先がすっきりとした綺麗な外観のものに収められ、例えば化粧カバー材を軒樋の前側壁面の下端部に面一に接合するように取り付けるなどして、短尺の化粧カバー材を用いて、軒先を軒樋と一体性の有る外観のものに収めることができる。また、形状の異なる化粧カバー材を選択的に用いて、軒先を様々な外観デザインのものに収めることができる。
【発明を実施するための最良の形態】
【０００８】
本発明の好適な一実施形態を図面を参照して説明する。
図１は本発明により外観を装飾した軒先の一実施形態の断面図、図２は図１の形態で軒樋と化粧カバー材を樋支持具から取り外した状態の軒先の断面図、図３は本発明の他の実施形態における軒先の断面図である。
【０００９】
各図に示した形態は、断面略U字形に屈曲乃至湾曲した形状を呈するプラスチック製の軒樋１を、軒に沿って固定された樋支持具２で支持し、各樋支持具２の前面部に化粧カバー材３を一体に装着することにより、軒に沿って支持された軒樋１の前面全体を化粧カバー材３で覆って軒先を装飾するものである。なお、図中、符号４は水切り板、５は鼻隠し板である。
【００１０】
図１及び図２において、軒樋１は、底面１１の前後両側に凹段部１１ａ、１１ａを介して前側壁面１２と後側壁面１３を平行に立ち上げるとともに、両壁面の上部に外方へ直角に折れ且つ上方へ屈曲した張り出し部１２ａ、１３ａを設け、さらに両張り出し部の先端に鉤状に内方へ屈曲した折返部１２ｂ、１３ｂを設けて形成してある。軒樋１は、自身の弾性によって前後壁面１２、１３を撓ませて、両壁面の上端部間隔を適宜に伸縮させることができるように成形してある。
【００１１】
樋支持具２は、軒樋１の前側壁面１２に係合する前側支持片２１と、後側壁面１３に係合する後側支持片２２と、一端が鼻隠しに取り付けられるように形成されたＬ字形に屈曲した固定片２３とから構成されている。前後支持片２１、２２は一体に成形されて固定片２３の端部にビス２４で一体に固着してあり、固定片２３を鼻隠しの表面に取り付けた状態で、前後支持片２１、２２が軒の外側へ水平に張り出すように設けてある。
より詳しくは、前側支持片２１は、前記前側壁面１２の張り出し部１２ａの外面に係合する屈曲段部２１ａを有し、軒樋１に対して、前側壁面１２の上部を屈曲段部２１ａが乗り越えて軒樋前方に回り込み、屈曲段部２１ａを張り出し部１２ａに係合させることにより前側壁面１２を係合位置で保持することができるように設けてある。また、後側支持片２２は、前記後側壁面１３の張り出し部１３ａの外面に係合する屈曲段部２２ａを有し、軒樋１に対して、後側壁面１３の上部を屈曲段部２２ａが乗り越えて軒樋後方に回り込み、屈曲段部２２ａを張り出し部１３ａに係合させることにより後側壁面１３を係合位置で保持することができるように設けてある。
そして、鼻隠し板５に沿って複数の樋支持具２を所定の間隔を開けて取り付けた状態で、軒樋１をその前後壁面１２、１３の上部側を先窄まりに湾曲させながら樋支持具２の下方から前後支持片２１、２２の間に押し入れて装着し、前後壁面１２、１３の張り出し部１２ａ、１３ａの外面にそれぞれ前後支持片２１、２２の屈曲段部２１ａ、２２ａを係合させることにより、前後支持片２１、２２の間で軒樋１が固定され、軒樋１が鼻隠しに沿って支持されるようになっている。
【００１２】
また、樋支持具２の前側支持片２１には、屈曲段部２１ａの下部に適宜な長さ下方に延びた延設片２１ｂが一体に設けてあるとともに、当該延設片の下端部２１ｃを水平に内折れさせて、樋支持具２に軒樋１を支持させた状態で、下端部２１ｃが軒樋１の前側の凹段部１１ａ内に外側から進入し、凹段部１１ａと僅かな隙間を開けて対向位置に配されるように設けてある。
【００１３】
化粧カバー材３は、長尺な矩形鋼板をその長手方向に平行に延びた複数の折れ線に沿って折り曲げてなり、軒先に取り付けた状態で、軒樋１の前側壁面１２の上方から側方に亘る全体を覆い隠す大きさに形成してある。
より詳しくは、図２に示されるように、化粧カバー材３は、その側面部３２の両端に上面部３１と下面部３３を連ねて全体が略々コ字形に屈曲した形状を呈し、上面部３１はその端部を下方に斜めに屈曲させ、また、下面部３３はその端部３３ａを上方へ垂直に折り曲げ、さらに縁部を斜め下方へ折り返して形成してある。そして、化粧カバー材３は、前側支持片２１の上面に上面部３１を重ね合わせ、前側支持片２１の内折れ端部２１ｃに下面部３３の端部３３ａを係合させ、前記上面部３１の重なり部を留めネジ６で留め付けることにより、前側支持片２１の外面を覆って当該支持片に一体に留め付けられるようになっている。
【００１４】
軒先廻りの造作を構成するこれらの部材は以下の手順で軒先に取り付けられる。先ず、屋根の縁に沿って水切り板４を取り付け、鼻隠しに沿って鼻隠し板５を取り付ける。
次いで、鼻隠し板５に沿って複数の樋支持具２を所定の間隔を開けて固定し、固定された各樋支持具２の下方から前後支持片２１、２２間に軒樋１を押し入れ、軒樋１の前後壁面１２、１３の張り出し部１２ａ、１３ａに前後支持片２１、２２の屈曲段部２１ａ、２２ａを係合させて、軒樋１を樋支持具２で支持させる。
【００１５】
軒樋１を樋支持具２に取り付けたならば、各樋支持具２に化粧カバー材３を装着して取り付ける。
化粧カバー材３は、樋支持具２、２間にその前方から架け渡して被せれば、図１に示されるように、化粧カバー材３の上面部３１が各樋支持具２の前側支持片２１の上面に重なって接合し、また、その下面部３３の端部３３ａが軒樋１の凹段部１１ａと前側支持片２１の内折れ端部２１ｃとの隙間に入り込んで当該内折れ端部に係合し、前側支持片２１の表面に装着する。前側支持片２１の側方から化粧カバー材３の側端を押し込んで嵌め被せてもよい。
そして、化粧カバー材３の上面部３１と前側支持片２１の上面との重合部分を留めネジ６で留め付ければ、化粧カバー材３が樋支持具２に一体に取り付けられ、軒樋１の前側壁面１２はその全体が化粧カバー材３で覆われる。
【００１６】
また、他の取り付け手順として、軒樋１を樋支持具２に装着する前に、化粧カバー材３を樋支持具２に取り付けておき、その後、軒樋１を化粧カバー材３が取り付けられた樋支持具２の下方から押し入れて前後支持片２１、２２間に装着し、取り付けるようにしてもよい。
【００１７】
図３は本発明の他の実施形態を示している。この形態では、軒樋１が、底面１１の前部にのみ凹段部１１ａが設けられ、この凹段部１１ａの上方に立ち上げた前側壁面１２を略Ｃ字形に湾曲させて張り出し部１２ａを底面１１の近傍に設けた形状に形成されている。また、樋支持具２の前後支持片２１、２２が別体に形成され、両支持片の端部同士を重ね合わせ、蝶ネジ２５で一体に固着して樋支持具２が構成されている。そして、前記形態と同様に、軒樋１の前後の張り出し部１２ａ、１３ａの外面を、樋支持具２の前後支持片２１、２２の屈曲段部２１ａ、２２ａに係合させて前後支持片２１、２２間で軒樋１を支持し、さらに樋支持具２の前側支持片２１に化粧カバー材３を取り付けて、軒樋１の前側壁面１２の全体を化粧カバー材３で覆われるようになっている。
【００１８】
本発明によれば、鼻隠しに沿って樋支持具２を固定した後、樋支持具２の前後支持片２１、２２間に軒樋１を下方から押し込み、軒樋１の前後壁面１２、１３の外面に樋支持具２の前後支持片２１、２２の屈曲段部２１ａ、２２ａを係合させることにより、軒樋１を樋支持具２に固定することができる。この際、樋支持具２に一体に設けた、化粧カバー材３を支持するための延設片２１ｂは邪魔とならず、また、軒樋１を取り付ける前後で任意に化粧カバー材３を取り付けることができ、軒樋１と化粧カバー材３の取り付けを、施工状況に応じて適宜に選択して行うことが可能である。
また、本発明によれば、樋支持具２に取り付けられた化粧カバー材３が、その上面部３１が前側支持片２１の上面に接合して軒樋１の前側壁面１２の上方を覆い、側面部３２が軒樋１の前方を覆い、下面部３３が前側支持片２１と軒樋１の下方を覆うとともに軒樋１の底面１１と略面一に水平に連なって固定され、軒先は軒樋１の前方を化粧カバー材３で覆った装飾した外観デザインのものに収められる。そして、図１及び図３に示されるように、軒樋１、化粧カバー材３及び鼻隠し板５の各部材の下面を同じ面となるように揃えることにより、軒の根元から先端、つまり鼻隠し下側から化粧カバー材３の下面先端までが表面に段部のない一体的な面に構成され、軒下をすっきりとした綺麗な外観に収めることができる。
【００１９】
なお、図示した軒樋や樋支持具、化粧カバー材などの各部材の形態とその取り付け工程は一例であり、本発明は図示した形態に限定されず、他の適宜な形態で構成し、任意の手順で取り付けることが可能である。
【図面の簡単な説明】
【００２０】
【図１】本発明により外観を装飾した軒先の一実施形態の断面図である。
【図２】図１の形態で軒樋と化粧カバー材を樋支持具から取り外した状態の軒先の断面図である。
【図３】本発明の他の実施形態における軒先の断面図である。
【図４】軒樋の外側に化粧カバー材が装着される従来の一例の軒先の断面図である。
【図５】軒樋の外側に化粧カバー材が装着される他の従来例の軒先の断面図である。
【図６】軒樋の外側に化粧カバー材が装着されるさらに他の従来例の軒先の断面図である。
【図７】図６に示した従来例の軒樋の取り付け方を説明するための図である。
【符号の説明】
【００２１】
１  軒樋、１２  前側壁面、１３  後側壁面、１２ａ，１３ａ  張り出し部、２  樋支持具、２１  前側支持片、２２  後側支持片、２１ａ，２２ａ  屈曲段部、３  化粧カバー材、４  水切り板、５  鼻隠し板、６  留めネジ
【図１】
2007056567.tif 000003
【図２】
2007056567.tif 000004
【図３】
2007056567.tif 000005
【図４】
2007056567.tif 000006
【図５】
2007056567.tif 000007
【図６】
2007056567.tif 000008
【図７】
2007056567.tif 000009